(57)【要約】【課題】軽量で、強度・剛性が高く、安全性が高い風呂蓋を提供し、さらに、温度差による反りを抑制して、風呂の保温効果を高く保つことのできる風呂蓋を提供する。【解決手段】周縁に沿って縁材６が付設された蓋単体Ｆを２枚乃至３枚備え、かつ、施蓋使用状態で、浴槽を横切る位置に合せ目を形成する風呂蓋に於て、蓋単体Ｆの全周縁の内、少なくとも合せ目を形成する合せ辺部４の縁材６に沿って反り抑制用補強材２を配設し、補強材２は、上帯板部２１と下帯板部２２と多数の上下連結片部２０を一体に有する棒状構造体であって、上壁１１と下壁１２と縁材６にて包囲された蓋内部空間１６に充填された発泡体３が、補強材２の上下連結片部２０，２０相互間の貫通孔２３内に浸入して、縁材６の内面６ａに発泡体３が接着している。【選択図】図３
2016165380.tif 000002
【特許請求の範囲】
【請求項１】
周縁に沿って縁材（６）が付設された蓋単体（Ｆ）を２枚乃至３枚備え、かつ、施蓋使用状態で、浴槽（Ｂ）を横切る位置に合せ目（１０）を形成する風呂蓋に於て、
上記蓋単体（Ｆ）の全周縁の内、少なくとも上記合せ目（１０）を形成する合せ辺部（４）の縁材（６）に沿って反り抑制用補強材（２）を配設し、
該補強材（２）は、上帯板部（２１）と下帯板部（２２）と多数の上下連結片部（２０）を一体に有する棒状構造体であって、上壁（１１）と下壁（１２）と上記縁材（６）にて包囲された蓋内部空間（１６）に充填された発泡体（３）が、上記補強材（２）の上下連結片部（２０）（２０）相互間の貫通孔（２３）内に浸入して、上記縁材（６）の内面（６ａ）に上記発泡体（３）が接着していることを特徴とする風呂蓋。
【請求項２】
周縁に沿って縁材（６）が付設された蓋単体（Ｆ）を２枚乃至３枚備え、かつ、施蓋使用状態で、浴槽（Ｂ）を横切る位置に合せ目（１０）を形成する風呂蓋に於て、
上記蓋単体（Ｆ）の全周縁の内、少なくとも上記合せ目（１０）を形成する合せ辺部（４）の縁材（６）に沿って反り抑制用補強板（４０）を配設し、
該補強板（４０）は、厚み方向に貫通する多数の小孔（４１）を有する長尺帯板状であって、上壁（１１）と下壁（１２）と上記縁材（６）にて包囲された蓋内部空間（１６）に充填された発泡体（３）が、上記小孔（４１）内に浸入して、上記縁材（６）の内面（６ａ）に上記発泡体（３）が接着していることを特徴とする風呂蓋。
【発明の詳細な説明】
【技術分野】
【０００１】
本発明は、風呂蓋に関する。
【背景技術】
【０００２】
２枚又は３枚の蓋単体から成る組合せ式の風呂蓋は、浴槽の上に置いた施蓋使用状態に於て、浴槽を横切る位置に合せ目が形成され、蓋単体の合せ目以外の縁は浴槽の縁の上に載置される。即ち、合せ目の箇所が浴槽の湯の熱で温められて、蓋単体の上面と下面の温度差に起因して面膨張による反りが生じ、蓋単体と浴槽との間に隙間が形成され、浴槽内の熱気が漏れたり、保温効果が低下するという欠点があった。また、子供や高齢者が不意に風呂蓋の上に手を突いた場合であっても、風呂蓋が折れ曲がって浴槽内に落ちることのないように、ある程度の大きさの上からの荷重に耐え得る強度と剛性が必要であった。上からの荷重に対して、下方に支える物が無い（宙に浮いている）合せ目の箇所が強度的に弱く、折れ曲がる危険性が最も高い。
従来、蓋単体の全周縁に硬質樹脂から成る補強部材が付設され、補強部材を包み込むように軟質樹脂から成るエッジプロテクタを弾性的に嵌め合わせて取付ける風呂蓋が提案されている（特許文献１参照）。
【先行技術文献】
【特許文献】
【０００３】
【特許文献１】特開平０８−２７５８９１号公報
【発明の概要】
【発明が解決しようとする課題】
【０００４】
特許文献１記載の風呂蓋のように、蓋単体の周縁を硬質樹脂で補強して、曲げモーメント（bending moment）に対する強度を向上することが、蓋単体の反りを抑制し、かつ、荷重に対する剛性を高めるために有効である。しかし、蓋単体の全周縁の強度を高めようとすると、硬質樹脂の補強部材に係る材料費が増大してコスト高になると共に、風呂蓋の重量が増大するという欠点があった。
また、特許文献１記載の風呂蓋は、エッジプロテクタと補強部材が接着されていない為、軟質樹脂のエッジプロテクタが使用劣化に伴って離脱する欠点、及び、風呂の保温効果が低下する欠点もあった。
【０００５】
そこで、本発明は、軽量で、強度・剛性が高く、安全性が高い風呂蓋を提供し、さらに、温度差による反りを抑制して、風呂の保温効果を高く保つことのできる風呂蓋を提供することを目的とする。
【課題を解決するための手段】
【０００６】
本発明に係る風呂蓋は、周縁に沿って縁材が付設された蓋単体を２枚乃至３枚備え、かつ、施蓋使用状態で、浴槽を横切る位置に合せ目を形成する風呂蓋に於て、上記蓋単体の全周縁の内、少なくとも上記合せ目を形成する合せ辺部の縁材に沿って反り抑制用補強材を配設し、該補強材は、上帯板部と下帯板部と多数の上下連結片部を一体に有する棒状構造体であって、上壁と下壁と上記縁材にて包囲された蓋内部空間に充填された発泡体が、上記補強材の上下連結片部相互間の貫通孔内に浸入して、上記縁材の内面に上記発泡体が接着しているものである。
【０００７】
また、周縁に沿って縁材が付設された蓋単体を２枚乃至３枚備え、かつ、施蓋使用状態で、浴槽を横切る位置に合せ目を形成する風呂蓋に於て、上記蓋単体の全周縁の内、少なくとも上記合せ目を形成する合せ辺部の縁材に沿って反り抑制用補強板を配設し、該補強板は、厚み方向に貫通する多数の小孔を有する長尺帯板状であって、上壁と下壁と上記縁材にて包囲された蓋内部空間に充填された発泡体が、上記小孔内に浸入して、上記縁材の内面に上記発泡体が接着しているものである。
【発明の効果】
【０００８】
本発明の風呂蓋によれば、浴槽を横切る合せ目を形成する、蓋単体の合せ辺部に於て、強度と剛性を（外観をそのままで）増大させることが可能であり、子供や高齢者が合せ辺部に上から荷重を掛けても、それに耐える十分な強度・剛性を付与可能となり、耐久性にも優れる。なおかつ、軽量である。さらに、温度差による反りも、合せ辺部に発生しにくく、風呂の湯の保温効果も高い。また、蓋単体の四辺の外観を同一のままで、合せ辺部の内部に於て巧妙に補強されるので、風呂蓋として使用し易い。そして、発泡体が補強材の貫通孔（補強板の小孔）内に浸入し、かつ、縁材の内面に接着するので、断熱性が損なわれず、補強材（補強板）と縁材とが、強固に一体構造となって、十分な強度を得ることができ、耐久性も優れ、しかも、安価に、かつ、蓋内部空間への発泡体充填（注入）にて容易かつ能率的に製造可能である。
【図面の簡単な説明】
【０００９】
【図１】本発明の風呂蓋の施蓋使用状態を示した正面図である。
【図２】本発明の風呂蓋の施蓋使用状態を示した平面図である。
【図３】本発明の実施の一形態を示した要部拡大図である。
【図４】合せ目を示す拡大平面図である。
【図５】補強材を示す斜視図である。
【図６】他の補強材を示す斜視図である。
【図７】別の補強材を示す斜視図である。
【図８】さらに他の補強材を示す斜視図である。
【図９】本発明の他の実施形態を示した要部拡大図である。
【図１０】本発明の別の実施形態を示した要部拡大図である。
【図１１】さらに他の実施形態を示した要部拡大図である。
【図１２】補強板を示す斜視図である。
【図１３】他の補強板を示す斜視図である。
【図１４】さらに別の実施形態を示した要部拡大図である。
【図１５】もう一つ別の実施形態を示した要部拡大図である。
【発明を実施するための形態】
【００１０】
以下、実施の形態を示す図面に基づき本発明を詳説する。
図１と図２に示すように、本発明の風呂蓋は、周縁に沿って縁材６が付設された蓋単体Ｆを２枚（乃至３枚）備える組合せ式の風呂蓋であって、施蓋使用状態で、浴槽Ｂの上に並べて置かれ、浴槽Ｂを横切る位置に合せ目１０を形成している。本発明に於て、蓋単体Ｆの全周縁の内、合せ目１０を形成する箇所を合せ辺部４と呼ぶこととする。
【００１１】
図３と図４に示すように、蓋単体Ｆの合せ辺部４の縁材６に沿って反り抑制用補強材２が配設されている。
蓋単体Ｆは、上壁１１と下壁１２と縁材６にて包囲状の蓋内部空間１６が形成され、蓋内部空間１６に発泡体３を充填している。縁材６は、ポリオレフィン系エラストマー等の軟質樹脂から成り、蓋単体Ｆの側面を被覆する鉛直壁部３１と、鉛直壁部３１の上下両端部に連設される外嵌状突片部３２，３２と、を有するコ字状横断面に形成されている。蓋単体Ｆは、合せ辺部４の縁材６に沿って硬質の補強材２を配設することで、合せ辺部４の強度と剛性を向上している。なお、補強材２は、少なくとも合せ辺部４に設けられ、合せ辺部４以外の蓋単体Ｆの残りの周縁に補強材２を配設しても良い。
上壁１１は、軟質で、かつ、伸縮（ストレッチ）性のある素材から成り、例えば、ＰＶＣやゴム、又は、その発泡体が用いられる。下壁１２は、硬質樹脂から成り、例えば、ＰＰ、ＰＥ、ＡＢＳや、その複合体が用いられる。発泡体３は、例えば、発泡ＰＵ（ポリウレタン）から成る。下壁１２を硬質素材としたことで、浴槽内の湯温による下壁１２の面膨張を緩和させ、蓋単体Ｆの反りを抑制している。
【００１２】
図５に示すように、補強材２は、上帯板部２１と下帯板部２２と多数の上下連結片部２０を一体に有する棒状構造体であって、補強材２の上下連結片部２０，２０相互間には、幅方向に連通する側面視正方形状の貫通孔２３が形成されている。
補強材２は、ＰＰ、ＡＢＳ、ＰＣ等の硬質樹脂から成り、上帯板部２１と下帯板部２２を多数の上下連結片部２０にて架橋（橋絡）した立体構造である為、鉛直方向からの荷重による曲げモーメント（bending moment）に対する強度が向上し、曲げに抵抗する高い剛性を有している。製造工程に於て、補強材２は、一体押出成形された板状立体構造物を所定幅寸法で切断して形成され、上帯板部２１・下帯板部２２と上下連結片部２０の間に継ぎ目が無く、安定して高精度・高品質に製造でき、かつ、低コストで量産が可能である。補強材２は、幅寸法Ｗが１０ｍｍ〜２５ｍｍ、高さ寸法Ｈが１０ｍｍ〜１５ｍｍに設定されている。補強材２の長さ寸法は、合せ辺部４の長さ寸法とほぼ同一に設定されている。なお、補強材２は、アルミニウム合金やステンレス等の金属から成るものであって良い。あるいは、硬質樹脂に強化材として、ガラスやタルク材（ケイ酸マグネシウム等）を混入するも好ましい。
【００１３】
図３に於て、上壁１１と下壁１２と縁材６にて包囲された蓋内部空間１６に、ウレタン樹脂を注入し、（加熱により）発泡・固化して発泡体３が充填され、これと同時に、補強材２の上下連結片部２０，２０相互間の貫通孔２３内に、（蓋内部空間１６に充填される）発泡体３が浸入して、縁材６の内面６ａに発泡体３が接着している。
発泡体３は、貫通孔２３に浸入して上帯板部２１と下帯板部２２と上下連結片部２０に接着すると共に、縁材６（の内面６ａ）に接着して、縁材６に補強材２を固着一体化している。発泡体３は、縁材６の内面６ａと補強材２の微小な隙間に浸入し、かつ、補強材２の上帯板部２１・下帯板部２２と上壁１１・下壁１２の微小な隙間にも浸入して、（合せ辺部４に於て）縁材６及び上壁１１・下壁１２に強固に接着されている。
【００１４】
図６〜図８に示すように、補強材２は、設計変更可能であって、例えば、図６のように、上下連結片部２０が傾斜して、上下連結片部２０，２０相互間には側面視三角形状の貫通孔２３が形成されるも好ましい。また、図７のように、隣接する上下連結片部２０，２０が交差して、上下連結片部２０，２０相互間の貫通孔２３が側面視で（比較的小さな）三角形と（比較的大きな）四角形の２種類形成されても良い。このように構成することで、鉛直方向からの荷重による曲げモーメント（bending moment）に対する補強材２の強度が一層向上し、補強材２を曲げようとする力に抵抗する高い剛性を確保できる。
図８に示すように、上下連結片部２０が円弧状に弯曲して、貫通孔２３が側面視円形状に形成されるも好ましい。
【００１５】
図９には、本発明の他の実施形態を示している。
図９に示すように、上帯板部２１・下帯板部２２と上壁１１・下壁１２の間に間隙部１３，１３を形成するように、補強材２を配設しても良い。
蓋内部空間１６に充填される発泡体３が、補強材２の貫通孔２３に浸入して上帯板部２１と下帯板部２２と上下連結片部２０に接着すると共に、縁材６の内面６ａに接着している。なおかつ、発泡体３が補強材２の上下の間隙部１３，１３にも浸入して、補強材２の上帯板部２１・下帯板部２２と上壁１１・下壁１２及び縁材６の内面６ａに接着されている。即ち、合せ辺部４に於て、発泡体３が補強材２に包囲状に充填され、縁材６と上壁１１・下壁１２に強固に接着されると共に、補強材２を安定して保持している。
【００１６】
また、図１０には、本発明の別の実施形態を示している。
図１０では、縁材６が、蓋単体Ｆの側面を被覆する鉛直壁部３１と、鉛直壁部３１の上下両端部に連設される外嵌状突片部３２，３２と、外嵌状突片部３２，３２と共働して上壁１１・下壁１２の周端縁１１ａ，１２ａを差込む差込凹溝３５，３５を形成する内嵌状突片部３３，３３とを、有している。
製造工程で、縁材６の内嵌状突片部３３，３３間の凹部３４に補強材２を嵌め込み、次に、縁材６の内面６ａの上下両端に形成された差込凹溝３５，３５に上壁１１・下壁１２の周端縁１１ａ，１２ａを差込んで保持し、蓋内部空間１６にウレタン樹脂を注入し（加熱により）発泡・固化して発泡体３が充填される。蓋内部空間１６に充填される発泡体３が、補強材２の貫通孔２３に浸入して上帯板部２１と下帯板部２２と上下連結片部２０に接着すると共に、縁材６の内面６ａに接着している。発泡体３は、補強材２の上壁１１・下壁１２の間の間隙部３６，３６にも浸入して、補強材２の上帯板部２１・下帯板部２２と上壁１１・下壁１２及び内嵌状突片部３３，３３の先端縁に接着されている。さらに、発泡体３は、縁材６の内面６ａと補強材２の微小な隙間から、補強材２の上帯板部２１・下帯板部２２と内嵌状突片部３３，３３の微小な隙間に浸入して、縁材６に強固に接着されている。補強材２が縁材６の内嵌状突片部３３，３３間の凹部３４に嵌込まれて保持されている為、発泡体３の充填の時に、ウレタン樹脂の圧力変動による補強材２の位置ずれを生じることなく、補強材２が安定して縁材６に沿って配設され、合せ辺部４に於て、縁材６に補強材２を確実に固着・一体化できる。
【００１７】
次に、本発明の風呂蓋のさらに他の実施形態を説明する。
図１１に於て、蓋単体Ｆの合せ辺部４の縁材６に沿って、反り抑制用補強板４０を配設している。
図１１及び図１２に示すように、補強板４０は、厚み方向に貫通する多数の円形状小孔４１を有する長尺帯板状であって、表面材４２と裏面材４３がアルミニウムやステンレス等の金属から成り、芯材４４がＰＥや発泡ＰＥ、ＰＰ等の硬質樹脂から成る金属と樹脂の複合板である。なお、図１２と図１３では簡略化して３層を１層に図示している。補強板４０は、厚み方向への断熱性が高く、また、軽量で、かつ、十分な強度と高い剛性を有している。
補強板４０は、設計変更可能であって、例えば、図１３に示すように、小孔４１を四角形状に形成しても良い。図１２及び図１３に於て、小孔４１，４１相互間の間隔（ピッチ）Ｐは、小孔４１単体の幅寸法より大きく設定するのが好ましい。仮に、間隔Ｐが、小孔４１単体の幅寸法より小さいと、補強板４０強度と剛性を確保できず、鉛直方向からの荷重による曲げモーメント（bending moment）により曲がってしまう虞れがある。
【００１８】
図１１に示すように、上壁１１と下壁１２と縁材６にて包囲された蓋内部空間１６に、ウレタン樹脂を注入し、（加熱により）発泡・固化して発泡体３が充填されると共に、補強板４０の小孔４１内に、発泡体３が浸入して、縁材６の内面６ａに接着されている。発泡体３は、小孔４１内に浸入して縁材６の内面６ａに強固に接着し、縁材６と補強板４０を固着一体化している。
縁材６は、蓋単体Ｆの側面を被覆する鉛直壁部３１と、鉛直壁部３１の上下両端部に連設される外嵌状突片部３２，３２と、外嵌状突片部３２，３２と共働して上壁１１・下壁１２の周端縁１１ａ，１２ａを差込む差込凹溝３５，３５を形成する内嵌状突片部３３，３３とを、有している。内嵌状突片部３３，３３の基端部の内面には、補強板４０の上下両端部を嵌込み可能な嵌着凹溝３７，３７が形成されている。
製造工程で、内嵌状突片部３３，３３の嵌着凹溝３７，３７に補強板４０の上下両端部を嵌め込んで縁材６に補強板４０を嵌着し、次に、縁材６の差込凹溝３５，３５に上壁１１・下壁１２の周端縁１１ａ，１２ａを差込んで保持し、蓋内部空間１６にウレタン樹脂を注入し（加熱により）発泡・固化して発泡体３が充填される。補強板４０が内嵌状突片部３３，３３の嵌着凹溝３７，３７に嵌込まれて保持されている為、発泡体３の充填の時に、ウレタン樹脂の圧力変動による補強板４０の位置ずれを生じることなく、補強板４０が安定して縁材６に沿って配設され、合せ辺部４に於て、縁材６に補強板４０を確実に固着・一体化できる。
なお、図１４に示すように、縁材６は、内嵌状突片部３３，３３の（図１１に示した）嵌着凹溝３７，３７を省略しても良い。図１４では、補強板４０が、縁材６の内嵌状突片部３３，３３間に挟み込まれて保持され、補強板４０の小孔４１内に発泡体３が浸入して縁材６の内面６ａに強固に接着されている。
【００１９】
また、図１５に示すように、縁材６は、内嵌状突片部３３，３３の基端部寄りの内面に嵌着凹溝３７，３７が形成されていても良い。内嵌状突片部３３，３３の嵌着凹溝３７，３７に補強板４０の上下両端部を嵌め込んだ状態で、縁材６の内面６ａと補強板４０の間に発泡体浸入室３９が形成され、蓋内部空間１６に充填される発泡体３が補強板４０の小孔４１から発泡体浸入室３９に浸入して、縁材６の内面６ａに発泡体３が接着し、補強板４０も一層強固に一体化している。
【００２０】
なお、本発明は、設計変更可能であって、例えば、蓋単体Ｆは、上壁１１と下壁１２が同じ合成樹脂材料で構成されていても良い。また、補強材２及び補強板４０の形状やサイズは、本発明の主旨を逸脱しない範囲で自由に設計変更可能であるものとする。
【００２１】
以上のように、本発明に係る風呂蓋は、周縁に沿って縁材６が付設された蓋単体Ｆを２枚乃至３枚備え、かつ、施蓋使用状態で、浴槽Ｂを横切る位置に合せ目１０を形成する風呂蓋に於て、蓋単体Ｆの全周縁の内、少なくとも合せ目１０を形成する合せ辺部４の縁材６に沿って反り抑制用補強材２を配設し、補強材２は、上帯板部２１と下帯板部２２と多数の上下連結片部２０を一体に有する棒状構造体であって、上壁１１と下壁１２と縁材６にて包囲された蓋内部空間１６に充填された発泡体３が、補強材２の上下連結片部２０，２０相互間の貫通孔２３内に浸入して、縁材６の内面６ａに接着されているので、浴槽Ｂを横切る合せ目１０を形成する、蓋単体Ｆの合せ辺部４に於て、強度と剛性を（外観をそのままで）増大させることが可能であり、子供や高齢者が合せ辺部４に上から荷重を掛けても、それに耐える十分な強度・剛性を付与可能となり、耐久性にも優れる。なおかつ、軽量である。さらに、温度差による反りも、合せ辺部４に発生しにくく、風呂の湯の保温効果も高い。また、蓋単体Ｆの四辺の外観を同一のままで、合せ辺部４の内部に於て巧妙に補強されるので、風呂蓋として使用し易い。そして、発泡体３が補強材２の貫通孔２３内に浸入し、かつ、縁材６の内面６ａに接着するので、断熱性が損なわれず、補強材２（と縁材６とが、強固に一体構造となって、十分な強度を得ることができ、耐久性も優れ、しかも、安価に、かつ、蓋内部空間１６への発泡体３の充填（注入）にて容易かつ能率的に製造可能である。
【００２２】
また、周縁に沿って縁材６が付設された蓋単体Ｆを２枚乃至３枚備え、かつ、施蓋使用状態で、浴槽Ｂを横切る位置に合せ目１０を形成する風呂蓋に於て、蓋単体Ｆの全周縁の内、少なくとも合せ目１０を形成する合せ辺部４の縁材６に沿って反り抑制用補強板４０を配設し、補強板４０は、厚み方向に貫通する多数の小孔４１を有する長尺帯板状であって、上壁１１と下壁１２と縁材６にて包囲された蓋内部空間１６に充填された発泡体３が、小孔４１内に浸入して、縁材６の内面６ａに接着されているので、浴槽Ｂを横切る合せ目１０を形成する、蓋単体Ｆの合せ辺部４に於て、強度と剛性を（外観をそのままで）増大させることが可能であり、子供や高齢者が合せ辺部４に上から荷重を掛けても、それに耐える十分な強度・剛性を付与可能となり、耐久性にも優れる。なおかつ、軽量である。さらに、温度差による反りも、合せ辺部４に発生しにくく、風呂の湯の保温効果も高い。また、蓋単体Ｆの四辺の外観を同一のままで、合せ辺部４の内部に於て巧妙に補強されるので、風呂蓋として使用し易い。そして、発泡体３が補強板４０の小孔４１内に浸入し、かつ、縁材６の内面６ａに接着するので、断熱性が損なわれず、補強板４０と縁材６とが、強固に一体構造となって、十分な強度を得ることができ、耐久性も優れ、しかも、安価に、かつ、蓋内部空間１６への発泡体３の充填（注入）にて容易かつ能率的に製造可能である。
【符号の説明】
【００２３】
２  補強材
３  発泡体
４  合せ辺部
６  縁材
６ａ  内面
１０  合せ目
１１  上壁
１２  下壁
１６  蓋内部空間
２０  上下連結片部
２１  上帯板部
２２  下帯板部
２３  貫通孔
４０  補強板
４１  小孔
Ｆ  蓋単体
Ｂ  浴槽
【図１】
2016165380.tif 000003
【図２】
2016165380.tif 000004
【図３】
2016165380.tif 000005
【図４】
2016165380.tif 000006
【図５】
2016165380.tif 000007
【図６】
2016165380.tif 000008
【図７】
2016165380.tif 000009
【図８】
2016165380.tif 000010
【図９】
2016165380.tif 000011
【図１０】
2016165380.tif 000012
【図１１】
2016165380.tif 000013
【図１２】
2016165380.tif 000014
【図１３】
2016165380.tif 000015
【図１４】
2016165380.tif 000016
【図１５】
2016165380.tif 000017